(57)【特許請求の範囲】
【請求項１】
シート状または板状の透明素材の表面に、複数の凸レンズ状の集光素を各集光素の並びに方向性を持たせて２次元的に配列して集光素パターンが形成されるとともに、前記透明素材の裏面に、着色された複数の線状画素を前記集光素パターンと異なる配列ピッチで平行に配列して線状画素パターンが形成されることにより、前記線状画素の拡大虚像を透明素材の上方または下方に現出させる装飾表示体であって、
前記透明素材の裏面に拡大虚像現出領域が設けられ、該拡大虚像現出領域に前記線状画素パターンが形成されるとともに、該線状画素パターンにおける各線状画素は前記拡大虚像現出領域と同程度以上の拡大虚像を前記透明素材の上方または下方に現出させる線幅となされていることにより、観る位置によって前記線状画素の拡大虚像を現出および消失させることを特徴とする装飾表示体。
【請求項２】
前記線状画素パターンは、各線状画素同士の間隔が該線幅以上で形成されている請求項１に記載の装飾表示体。
【請求項３】
前記透明素材の裏面に複数の拡大虚像現出領域が設けられ、各拡大虚像現出領域に前記線状画素パターンが形成されている請求項１または請求項２に記載の装飾表示体。
【請求項４】
前記線状画素パターンは、前記拡大虚像現出領域ごとに前記線状画素が異なる配列方向で配列している請求項３に記載の装飾表示体。
【請求項５】
前記拡大虚像現出領域に隣接する領域において、着色された複数の画素を各画素の並びに前記集光素パターンと同じ方向性を持たせて２次元的に配列して第２の画素パターンが形成されており、該第２の画素パターンにおける前記画素の拡大虚像が前記線状画素パターンの各線状画素の拡大虚像よりも低い位置で現出する請求項１ないし請求項４のいずれかに記載の装飾表示体。
【請求項６】
請求項１ないし請求項５のいずれかに記載の装飾表示体がディスプレイ表示部の周縁部に設けられていることを特徴とするディスプレイ装置。
【発明の詳細な説明】
【技術分野】
【０００１】
本発明は、遊技機やゲーム機の外装パネル、包装箱、広告体、飾り品などの各種商品の装飾に用いられる装飾表示体、およびそれが設けられるフォトフレームなどのディスプレイ装置に関する。
【背景技術】
【０００２】
一般に、遊技機やゲーム機の外層パネル、包装箱、広告体、飾り品あるいはデジタルフォトフレームなどのディスプレイ装置などといった種々の商品は、表面に文字や図柄などの装飾を施される場合が多い。こういった装飾においては、各種商品の表面から図柄などの拡大虚像を上方または下方に現出させて観る者の視覚を刺激することにより各種商品に興味を持たせる装飾表示体を採用するということが従来より知られており、例えば下記特許文献１に開示されている。
【０００３】
この特許文献１の装飾表示体は、凸レンズ状の集光素を各集光素の並びに方向性を持たせて２次元的に透明素材の表面に配列させることにより形成される集光素パターンと、複数の画素を各画素の並びに集光素パターンと同じ方向性を持たせて２次元的に透明素材の裏面に配列させることにより形成される画素パターンとを備えており、集光素パターンの配列ピッチと画素パターンの配列ピッチとをずらして構成することにより、画素が描く図柄などの拡大虚像を透明素材の上方または下方に現出させる。
【０００４】
また、上記した装飾表示体には、画素が線状であるものも知られており、例えば下記特許文献２に開示されている。この特許文献２の装飾表示体は、特許文献１と同様の集光素パターンと、該集光素パターンの一方向に倣いつつ２次元的に平行に線状画素を配列されることにより形成される線状画素パターンとを備えており、特許文献１と同様、線状画素が描く図柄などの拡大虚像を透明素材の上方または下方に現出させる。
【０００５】
従来においては、上記した装飾表示体を各種商品の装飾に採用することにより、揺らぎの少ない静的な状態で画素または線状画素の拡大虚像を透明素材の上方または下方に現出させて、観る者の視覚を刺激するようにしていた。
【０００６】
一方、アルミや鉄などの金属を表面に有する商品は一般的に知られており、金属の部分が光沢を有している。該金属の表面においては光が反射する部分と反射しない部分との明暗のコントラストにより光沢が表現され、該光沢によって観る者の視覚が強く刺激されるため、観る者に対して該商品に興味を持たせるという効果がある。
【先行技術文献】
【特許文献】
【０００７】
【特許文献１】特開２００１−１８０１９８号公報
【特許文献２】特開２００２−１２０４９９号公報
【発明の概要】
【発明が解決しようとする課題】
【０００８】
しかしながら、特許文献１および特許文献２に記載の装飾表示体は、画素または線状画素の拡大虚像を透明素材の上方または下方に現出させることができるが、金属表面のような光沢感を有するものではなかった。
【０００９】
本発明は、上述の技術的背景に鑑みてなされたものであって、金属を使用することなく金属表面のような光沢感を表現することができる装飾表示体を提供することを目的とする。
【課題を解決するための手段】
【００１０】
本発明に係る装飾表示体は、上記目的を達成するために、シート状または板状の透明素材の表面に、複数の凸レンズ状の集光素を各集光素の並びに方向性を持たせて２次元的に配列して集光素パターンが形成されるとともに、透明素材の裏面に、着色された複数の線状画素を集光素パターンと異なる配列ピッチで平行に配列して線状画素パターンが形成されることにより、線状画素の拡大虚像を透明素材の上方または下方に現出させる。この装飾表示体は、透明素材の裏面に拡大虚像現出領域が設けられ、該拡大虚像現出領域に線状画素パターンが形成されるとともに、該線状画素パターンにおける各線状画素は拡大虚像現出領域と同程度以上の拡大虚像を透明素材の上方または下方に現出させる線幅となさていることにより、観る位置によって線状画素の拡大虚像を現出および消失させることを特徴とする。
【００１１】
これによれば、拡大虚像現出領域と同程度以上の線状画素の拡大虚像を透明素材の上方または下方に現出させるため、観る位置によって線状画素の拡大虚像を明確に現出および消失させることができる。このため、線状画素の拡大虚像が現出した際の暗い部分と、線状画素の拡大虚像が消失した際の明るい部分とによる明暗のコントラストが生じ、この明暗のコントラストによって金属表面のような光沢感を疑似的に表現することができる。
【００１２】
また、線状画素パターンは、各線状画素同士の間隔が該線幅以上で形成されているのが好ましい。これによれば、線状画素の拡大虚像の現出よりも消失の割合が増えるため、拡大虚像が現出した際の暗い部分よりも拡大虚像の消失した際の明るい部分が多くなり、金属表面のような光沢感を強調的に表現することができる。
【００１３】
また、透明素材の裏面に複数の拡大虚像現出領域が設けられ、各拡大虚像現出領域に線状画素パターンが形成されているのが好ましい。これによれば、透明素材の複数箇所において金属表面のような光沢感を表現することができる。
【００１４】
また、線状画素パターンは拡大虚像現出領域ごとに線状画素が異なる配列方向で配列しているのが好ましい。これによれば、ある拡大虚像現出領域において線状画素の拡大虚像の現出によって暗い部分が表現されているときに、他の拡大虚像現出領域においては線状画素の拡大虚像の消失によって明るい部分が表現されるため、各拡大虚像現出領域において明暗のコントラストの生じるタイミングを異ならせることができ、金属表面のような光沢感をより装飾的に表現することができる。
【００１５】
また、拡大虚像現出領域に隣接する領域において、着色された複数の画素を各画素の並びに集光素パターンと同じ方向性を持たせて２次元的に配列して第２の画素パターンが形成されており、該第２の画素パターンにおける画素の拡大虚像が線状画素パターンの各線状画素の拡大虚像よりも低い位置で現出するのが好ましい。これによれば、該第２の画素パターンにおける画素の拡大虚像が線状画素パターンにおける各線状画素の拡大虚像よりも低い位置で現出するため、拡大虚像現出領域が隣接する領域に比べて浮遊しているように見え、金属表面のような光沢感をより強調的に表現することができる。
【発明の効果】
【００１６】
本発明によれば、拡大虚像現出領域と同程度以上の線状画素の拡大虚像を透明素材の上方または下方に現出させるため、観る位置によって線状画素の拡大虚像を明確に現出および消失させることができる。このため、線状画素の拡大虚像が現出した際の暗い部分と、線状画素の拡大虚像が消失した際の明るい部分とによる明暗のコントラストが生じ、この明暗のコントラストによって金属表面のような光沢感を疑似的に表現することができる。従って、金属を使用することなく金属表面のような光沢感を表現することにより、観る者の視覚を強く刺激することができ、観る者の商品に対する購買意欲を向上させることが可能となる。
【図面の簡単な説明】
【００１７】
【図１】第１実施形態に係る装飾表示体が設けられたデジタルフォトフレームの斜視図である。
【図２】デジタルフォトフレームの分解斜視図である。
【図３】装飾表示体の断面図である。
【図４】画素層の正面図である。
【図５】第１拡大虚像現出領域の集光素と線状画素の関係を示す拡大正面図である。
【図６】（ａ）第２拡大虚像現出領域、（ｂ）第３拡大虚像現出領域、および（ｃ）第４拡大虚像現出領域の集光素と線状画素の関係を示す各拡大正面図である。
【図７】第１拡大虚像現出領域における拡大虚像の現出および消失の原理を示す概略模式図である。
【図８】（ａ）第２拡大虚像現出領域、（ｂ）第３拡大虚像現出領域、および（ｃ）第４拡大虚像現出領域における拡大虚像の現出および消失の原理を示す概略模式図である。
【図９】第２実施形態に係る装飾表示体の画素層における正面図である。
【発明を実施するための形態】
【００１８】
＜第１実施形態＞
次に、本発明に係る装飾表示体１０の一実施形態について図１〜図８を参照しつつ説明する。
【００１９】
本実施形態に係る装飾表示体１０は、図１に示すように、ディスプレイ表示部Ｉに写真データを表示するいわゆるデジタルフォトフレーム（ディスプレイ装置）１に採用されており、該ディスプレイ表示部Ｉの周縁部に設けられている。この装飾表示体１０は、図２に示すように、アクリル板など板状あるいはシート状の透明素材１１と、透明素材１１の表面に設けられ、無着色または着色の透明インキを用いて複数の凸レンズ状の集光素１２ａを印刷してなる集光素層１２と、透明素材１１の裏面に設けられ、着色された不透明インキを用いて線状画素１３ａを印刷してなる画素層１３と、画素層１３を透明素材１１と挟む態様で設けられる背景層１４とを備えており、図３に示すように、集光素層１２、透明素材１１、画素層１３、背景層１４が順に積層される態様で一体化している。
【００２０】
前記集光素層１２は、図５に示すように、複数の集光素１２ａを各集光素１２ａの並びに方向性を持たせて２次元的に配列させることにより形成される集光素パターン１２１を備えている。この集光素パターン１２１は、水平に対して４５°の角度だけ傾斜したｘ方向とこれに直交するｙ方向に、同じ配列ピッチｐで各集光素１２ａをマトリクス状に等配列させて規則正しく形成されている。なお、本実施形態において、集光素１２ａの直径は１．０ｍｍであり、配列ピッチｐは１．１０ｍｍである。
【００２１】
前記画素層１３は、図４に示すように、所定の面積を有する領域（以下「拡大虚像現出領域」という）Ｒ１〜Ｒ２９が設けられており、該拡大虚像現出領域Ｒ１〜Ｒ２９には、黒色に着色された複数の線状画素１３ａを平行に配列させることにより線状画素パターンが各々形成されている。また、各拡大虚像現出領域Ｒ１〜Ｒ２９は、狭い幅の拡大虚像現出領域Ｒ３０で各々つなぎ合わせられて、全体として「つる植物」が形取られている。
【００２２】
前記拡大虚像現出領域Ｒ１〜Ｒ２９に形成されている線状画素パターンは、拡大虚像現出領域Ｒ１〜Ｒ２９ごとに線状画素１３ａが異なる配列方向で配列しており、本実施形態では４パターンある。すなわち、線状画素パターンは、線状画素１３ａが上下方向に平行に配列している第１線状画素パターン１３１と、線状画素１３ａが左右方向に平行に配列している第２線状画素パターン１３２と、線状画素１３ａが斜め右上がりの方向（ｙ方向）に平行に配列している第３線状画素パターン１３３と、線状画素１３ａが斜め左上がりの方向（ｘ方向）に平行に配列している第４線状画素パターン１３４とからなる。
【００２３】
なお、以下の説明においては、第１線状画素パターン１３１が形成されている拡大虚像現出領域Ｒ１〜Ｒ８を総じて「第１拡大虚像現出領域群Ｒ１〜Ｒ８」といい、第２線状画素パターン１３２が形成されている拡大虚像現出領域Ｒ９〜Ｒ１４を総じて「第２拡大虚像現出領域群Ｒ９〜Ｒ１４」といい、第３線状画素パターン１３３が形成されている拡大虚像現出領域Ｒ１５〜Ｒ２１を総じて「第３拡大虚像現出領域群Ｒ１５〜Ｒ２１」といい、第４線状画素パターン１３４が形成されている拡大虚像現出領域Ｒ２２〜Ｒ２９を総じて「第４拡大虚像現出領域群Ｒ２２〜Ｒ２９」という。
【００２４】
これら第１〜第４拡大虚像現出領域群に該当する各拡大虚像現出領域Ｒ１〜Ｒ２９が透明素材１１の裏面に形成されていることにより、線状画素１３ａの拡大虚像Ｚを各拡大虚像現出領域Ｒ１〜Ｒ２９において現出させることが可能になる。
【００２５】
第１拡大虚像現出領域群Ｒ１〜Ｒ８において、図５に示すように、第１線状画素パターン１３１は、線状画素１３ａが集光素パタ−ン１２１のｘ方向について時計方向に４５°の角度だけ回転させた方向（上下方向）と平行になるように配列ピッチｑで配列している。この線状画素１３ａの配列ピッチｑは、集光素１２ａの配列ピッチｐより大きい。従って、該第１拡大虚像現出領域群Ｒ１〜Ｒ８において、上下方向の線状画素１３ａの拡大虚像Ｚ１を透明素材１１の上方に現出させることができる。なお、本実施形態において、線状画素１３ａの配列ピッチｑは１．１１ｍｍである。
【００２６】
第２拡大虚像現出領域群Ｒ９〜Ｒ１４において、図６（ａ）に示すように、第２線状画素パターン１３２は、線状画素１３ａが集光素パタ−ン１２１のｘ方向について反時計方向に４５°の角度だけ回転させた方向（左右方向）と平行になるように配列ピッチｑで配列している。すなわち、第２線状画素パターン１３２は、第１線状画素パターン１３１を９０°の角度だけ回転させたパターンと同様である。この線状画素１３ａの配列ピッチも集光素１２ａの配列ピッチｐより大きいため、該第２拡大虚像現出領域群Ｒ９〜Ｒ１４において、左右方向の線状画素１３ａの拡大虚像Ｚ２を透明素材１１の上方に現出させることができる。  
【００２７】
第３拡大虚像現出領域群Ｒ１５〜Ｒ２１において、図６（ｂ）に示すように、第３線状画素パターン１３３は、線状画素１３ａが集光素パタ−ン１２１のｘ方向について時計方向に９０°の角度だけ回転させたｙ方向（斜め右上がり方向）と平行になるように配列ピッチｑで配列している。すなわち、第３線状画素パターン１３３は、第１線状画素パターン１３１を時計方向に４５°の角度だけ回転させたパターンと同様である。この線状画素１３ａの配列ピッチも集光素１２ａの配列ピッチｐより大きいため、該第３拡大虚像現出領域群Ｒ１５〜Ｒ２１において、斜め右上がり方向の線状画素１３ａの拡大虚像Ｚ３を透明素材１１の上方に現出させることができる。  
【００２８】
第４拡大虚像現出領域群Ｒ２２〜Ｒ２９において、図６（ｃ）に示すように、第４線状画素パターン１３４は、線状画素１３ａが集光素パタ−ン１２１のｘ方向（斜め左上がり方向）と平行になるように配列ピッチｑで配列している。すなわち、第４線状画素パターン１３４は、第１線状画素パターン１３１を反時計方向に４５°の角度だけ回転させたパターンと同様である。この線状画素１３ａの配列ピッチも集光素１２ａの配列ピッチｐより大きいため、該第４拡大虚像現出領域群Ｒ２２〜Ｒ２９において、斜め左上がり方向の線状画素１３ａの拡大虚像Ｚ４を透明素材１１の上方に現出させることができる。  
【００２９】
また、各線状パターン１３１〜１３４における線状画素１３ａは、図５に示すように、それぞれ線幅Ｗで形成されている。この線幅Ｗは、上述した各拡大虚像現出領域Ｒ１〜２９と同程度（拡大虚像現出領域Ｒ１〜Ｒ２９の約９０％〜１００％程度）以上の拡大虚像Ｚ１〜Ｚ４を現出させる幅である。従って、線状画素１３ａの拡大虚像Ｚ１〜Ｚ４が現出した場合、拡大虚像Ｚ１〜Ｚ４となされる線状画素１３ａの黒色を各拡大虚像現出領域Ｒ１〜Ｒ２９において表示することができる。なお、本実施形態において線状画素１３ａの線幅Ｗは０．３５ｍｍである。
【００３０】
また、各線状画素パターン１３１〜１３４は、各線状画素１３ａ同士の間隔（各線状画素１３ａ間の白い部分）Ｗ’が線状画素１３ａの線幅Ｗより大きい。すなわち、各線状画素パターン１３１〜１３４は、各線状画素１３ａ同士の間隔Ｗ’が線幅Ｗ以上で形成されている。従って、各拡大虚像現出領域Ｒ１〜Ｒ２９において、線状画素１３ａにおける拡大虚像Ｚ１〜Ｚ４の現出よりも拡大虚像Ｚ１〜Ｚ４の消失の割合を増やすことが可能であるため、拡大虚像Ｚ１〜Ｚ４が現出した際に暗い部分となされる黒色よりも拡大虚像Ｚ１〜Ｚ４の消失した際に明るい部分となされる白色を多くすることができる。
【００３１】
前記背景層１４は、図２に示すように、透明素材１１側の面が不透明な白色に着色されている。従って、背景層１４は、画素層１３において線状画素１３ａが形成されていない部分を白色に表示して、背景として画素層１３により現出される拡大虚像Ｚを明確に表示させることができる。
【００３２】
次に、装飾表示体１０の作用について図７（ａ）〜（ｅ）を参照しつつ説明する。以下の説明においては、まず第１拡大虚像現出領域群２１における線状画素１３ａの拡大虚像Ｚ１の現出および消失の原理について説明する。なお、図７（ａ）〜（ｅ）においては、第１拡大虚像現出領域群Ｒ１〜Ｒ８のうちの拡大虚像現出領域Ｒ１を一例として図示する。
【００３３】
第１拡大虚像現出領域群Ｒ１〜Ｒ８においては、第１線状画素パターン１３１が形成されている。従って、図７（ａ）〜（ｅ）に示すように、上下方向の線状画素１３ａの拡大虚像Ｚ１が第１拡大虚像現出領域群Ｒ１〜Ｒ８の各拡大虚像現出領域と同程度以上で透明素材１１の上方に現出および消失することが可能である。
【００３４】
ここにおいて、図７（ａ）に示すように、線状画素１３ａの拡大虚像Ｚ１が拡大虚像現出領域Ｒ１の左側に位置している際に、装飾表示体１０を観る位置が線状画素１３ａと直交する右方向に移動した場合、図７（ｂ）に示すように、拡大虚像Ｚ１が線状画素１３ａと直交する右方向に移動し、各拡大虚像現出領域内において現出し始める。また、装飾表示体１０を観る位置が右方向にさらに移動した場合、図７（ｃ）に示すように、拡大虚像Ｚ１が右方向にさらに移動し、各拡大虚像現出領域Ｒ１〜Ｒ８を全て占めるように現出する。従って、観る位置が右方向に移動することによって、拡大虚像Ｚ１を明確に現出させることができるため、拡大虚像Ｚ１が現出した際に暗い部分となされる黒色が各拡大虚像現出領域Ｒ１〜Ｒ８において表現される。
【００３５】
また、図７（ｃ）の状態から、装飾表示体１０を観る位置が右方向にさらに移動した場合、図７（ｄ）に示すように、拡大虚像Ｚ１が右方向に移動し、各拡大虚像現出領域Ｒ１〜Ｒ８において消失し始める。また、装飾表示体１０を観る位置が右方向にさらに移動した場合、図７（ｅ）に示すように、拡大虚像Ｚ１が右方向にさらに移動し、各拡大虚像現出領域Ｒ１〜Ｒ８において消失する。従って、観る位置が右方向に移動することによって、拡大虚像Ｚ１を明確に消失させることができるため、拡大虚像Ｚ１が消失した際に明るい部分となされる白色が各拡大虚像現出領域Ｒ１〜Ｒ８において表現される。
【００３６】
また、一方で、装飾表示体１０を観る位置が線状画素１３ａと直交する左方向に移動した場合も上述と同様の原理で、拡大虚像Ｚ１が線状画素１３ａと直交する左方向に移動して、各拡大虚像現出領域Ｒ１〜Ｒ８において拡大虚像Ｚ１が現出および消失する。
【００３７】
なお、上記においては、説明の便宜上、拡大虚像Ｚ１の現出および消失について図７（ａ）〜（ｅ）を用いて細かく状況を分割して説明したが、各拡大虚像現出領域Ｒ１〜Ｒ８に現出する拡大虚像Ｚ１は相当な倍率で拡大されているため、拡大虚像現出領域Ｒ１〜Ｒ８における移動は高速である。従って、拡大虚像Ｚ１による黒色と背景層１４による白色とが素早く切り変わるため、拡大虚像現出領域がまるでキラキラしているように見える。
【００３８】
以上より、第１拡大虚像現出領域群Ｒ１〜Ｒ８においては、観る位置が左右方向に移動することによって、拡大虚像Ｚ１が現出した際に暗い部分となされる黒色と、拡大虚像Ｚ１が消失した際に明るい部分となされる白色とによる明暗のコントラストを生じさせることができる。従って、この明暗のコントラストによって、金属表面のような光沢感を疑似的に表現することができる。
【００３９】
なお、上記の説明においては、拡大虚像Ｚ１が現出し始めてから消失するまで、観る位置が終始同一方向に移動する場合について説明したが、観る位置が途中で逆側に変更する場合も同様の原理により、拡大虚像Ｚ１は現出および消失する。
【００４０】
次に、第２拡大虚像現出領域群Ｒ９〜Ｒ１４について図８（ａ）を参照しつつ説明する。ここにおいては、第２拡大虚像現出領域群Ｒ９〜Ｒ１４のうちの拡大虚像現出領域Ｒ１３を一例として図示する。
【００４１】
第２拡大虚像現出領域群Ｒ９〜Ｒ１４においては、上述した第１拡大虚像現出領域群Ｒ１〜Ｒ８の第１線状画素パターン１３１を９０°の角度だけ回転してなる第２線状画素パターン１３２が形成されている。従って、第１拡大虚像現出領域群Ｒ１〜Ｒ８において説明した同様の原理により、装飾表示体１０を観る位置が線状画素１３ａと直交する上方向または下方向に移動した場合、線状画素１３ａの拡大虚像Ｚ２が上方向または下方向に移動して、各拡大虚像現出領域Ｒ９〜Ｒ１４において拡大虚像Ｚ２が現出および消失する。例えば、図８（ａ）に示すように、装飾表示体１０を観る位置が下方向から上方向に移動した場合、拡大虚像Ｚ２が下方向から上方向に移動して、拡大虚像現出領域Ｒ１３において現出および消失する。
【００４２】
次に、第３拡大虚像現出領域群Ｒ１５〜Ｒ２１について図８（ｂ）を参照しつつ説明する。ここにおいては、第３拡大虚像現出領域群Ｒ１５〜Ｒ２１のうちの拡大虚像現出領域Ｒ１７を一例として図示する。
【００４３】
第３拡大虚像現出領域群Ｒ１５〜Ｒ２１においては、上述した第１拡大虚像現出領域群Ｒ１〜Ｒ８の第１線状画素パターン１３１を時計方向に４５°の角度だけ回転してなる第３線状画素パターン１３３が形成されている。従って、第１拡大虚像現出領域群Ｒ１〜Ｒ８において説明した同様の原理により、装飾表示体１０を観る位置が線状画素１３ａと直交する＋ｘ方向あるいは−ｘ方向に移動した場合、線状画素１３ａの拡大虚像Ｚ３が＋ｘ方向あるいは−ｘ方向に移動して、各拡大虚像現出領域Ｒ１５〜Ｒ２１において拡大虚像Ｚ３が現出および消失する。例えば、図８（ｂ）に示すように、装飾表示体１０を観る位置が＋ｘ方向から−ｘ方向に移動した場合、拡大虚像Ｚ３が＋ｘ方向から−ｘ方向に移動して、拡大虚像現出領域Ｒ１７において現出および消失する。
【００４４】
次に、第４拡大虚像現出領域群２４について図８（ｃ）を参照しつつ説明する。ここにおいては、第４拡大虚像現出領域群Ｒ２２〜Ｒ２９のうちの拡大虚像現出領域Ｒ２８を図示する。
【００４５】
第４拡大虚像現出領域群Ｒ２２〜Ｒ２９においては、上述した第１拡大虚像現出領域群Ｒ１〜Ｒ８の第１線状画素パターン１３１を反時計方向に４５°の角度だけ回転してなる第４線状画素パターン１３４が形成されている。従って、第１拡大虚像現出領域群Ｒ１〜Ｒ８において説明した同様の原理により、装飾表示体１０を観る位置が線状画素１３ａと直交する＋ｙ方向あるいは−ｙ方向に移動した場合、線状画素１３ａの拡大虚像Ｚ４が＋ｙ方向あるいは−ｙ方向に移動して、各拡大虚像現出領域Ｒ２２〜Ｒ２９において拡大虚像Ｚ４が現出および消失する。例えば、図８（ｃ）に示すように、装飾表示体１０を観る位置が＋ｙ方向から−ｙ方向に移動した場合、拡大虚像Ｚ４が＋ｙ方向から−ｙ方向に移動して、拡大虚像現出領域Ｒ２８において現出および消失する。
【００４６】
以上で説明した装飾表示体１０によれば、各拡大虚像現出領域Ｒ１〜Ｒ２９と同程度以上の線状画素１３ａの拡大虚像Ｚを各拡大虚像現出領域Ｒ１〜Ｒ２９において透明素材１１の上方に現出させることができるため、観る位置によって線状画素１３ａの拡大虚像Ｚを明確に現出および消失させることができる。このため、線状画素１３ａの拡大虚像Ｚが現出した際に暗い部分となされる黒色と、線状画素１３ａの拡大虚像Ｚが消失した際に明るい部分となされる白色とによる明暗のコントラストが生じ、この明暗のコントラストによって金属表面のような光沢感を疑似的に表現することができる。従って、金属を使用することなく金属表面のような光沢感を表現することができるため、観る者の視覚を強く刺激することができ、観る者の商品に対する購買意欲を向上させることが可能となる。
【００４７】
また、第１〜第４拡大虚像現出領域群Ｒ１〜Ｒ２９のいずれにおいても、各線状画素１３ａ同士の間隔Ｗ’は線状画素１３ａの線幅Ｗより大きいことより、線状画素１３ａにおける拡大虚像Ｚの現出よりも線状画素１３ａにおける拡大虚像Ｚの消失の割合を増やすことができるため、拡大虚像Ｚが現出した際に暗い部分となされる黒色よりも拡大虚像Ｚの消失した際に明るい部分となされる白色を多くすることができる。従って、金属表面のような光沢感を強調的に表現することができる。
【００４８】
また、透明素材１１の裏面に複数の拡大虚像現出領域Ｒ１〜Ｒ２９が設けられていることより、透明素材１１の複数箇所において線状画素１３ａの拡大虚像Ｚを透明素材１１の上方に現出または消失させることができるため、透明素材１１の複数箇所において金属表面のような光沢感を表現することができる。
【００４９】
また、拡大虚像現出領域Ｒ１〜Ｒ２９には、配列方向が各々異なる各線状画素パターン１３１〜１３４が形成されていることにより、ある拡大虚像現出領域において線状画素１３ａの拡大虚像Ｚの現出によって暗い部分が表現されているときに、他の拡大虚像現出領域においては線状画素１３ａの拡大虚像Ｚの消失によって明るい部分が表現されるため、各拡大虚像現出領域Ｒ１〜Ｒ２９において明暗のコントラストの生じるタイミングを異ならせることができ、金属表面のような光沢感をより装飾的に表現することができる。
【００５０】
＜第２実施形態＞
次に、本発明に係る装飾表示体（以下「装飾表示体」という）の他の実施形態について図９を参照しつつ説明する。本実施形態と第１実施形態との相違点は、画素層の構成である。従って、以下においては該画素層についてのみ説明し、第１実施形態と同一の構成については同一の符号を付してその説明を省略する。
【００５１】
本実施形態の画素層２３は、図９に示すように、第１実施形態における画素層１３の第１〜第４拡大虚像現出領域群Ｒ１〜Ｒ２９に隣接する領域において、着色された複数の点状画素１３ｂを各点状画素１３ｂの並びに集光素パターン１２１と同じ方向性を持たせて２次元的に配列して点状画素パターン１３５が形成されている。この点状画素パターン１３５は、点状画素１３ｂが集光素の配列ピッチｐより小さい配列ピッチｒで配列している。従って、該点状画素パターン１３５による点状画素１３ｂの拡大虚像は、透明素材１１の下方において現出するため、各線状画素パターン１３１〜１３４の各線状画素１３ａの拡大虚像Ｚよりも低い位置で現出する。
【００５２】
以上より、点状画素パターン１３５における点状画素１３ｂの拡大虚像が各線状画素パターン１３１〜１３４における各線状画素１３ａの拡大虚像Ｚよりも低い位置で現出するため、線状画素１３ａが形成されている第１〜第４拡大虚像現出領域２１〜２４が点状画素パターン１３５の領域に比べて浮遊しているように見えるため、金属表面のような光沢感をより強調的に表現することができる。
【００５３】
なお、上記した第１および第２実施形態において、線状画素１３ａの拡大虚像Ｚは、透明素材１１の上方に現出および消失する場合について説明したが、透明素材１１の下方に現出および消失するようにしてもよい。なお、この場合、集光素１２ａの配列ピッチｐと各線状パターン１３１〜１３４の線状画素１３ａの配列ピッチｑとの関係は「配列ピッチｑ＜配列ピッチｐ」である。
【００５４】
また、拡大虚像現出領域Ｒ１〜Ｒ２９は、つる植物の葉の部分である場合について説明したが、その他の部分も線状画素１３ａの拡大虚像Ｚを現出させる拡大虚像現出領域であってもよい。
【００５５】
また、拡大虚像現出領域Ｒ１〜Ｒ２９は、幅の狭い拡大虚像現出領域Ｒ３０を含めた全体として「つる植物」に形取られている場合について説明したが、任意の形状でもよい。
【００５６】
また、拡大虚像現出領域Ｒ１〜Ｒ２９は、透明素材１１の裏面において部分的に形成されている場合について説明したが、透明素材１１の裏面の全てに形成されてもよい。
【００５７】
また、線状画素１３ａの線幅Ｗは、全て同一である場合について説明したが、線状画素の線幅を適宜変更してもよい。
【００５８】
また、線状画素パターン１３１〜１３４は、各線状画素１ａ同士の間隔Ｗ’が該線幅Ｗ以上で形成されている場合について説明したが、線状画素１３ａの線幅Ｗ未満の配列ピッチであってもよい。
【００５９】
また、各線状画素パターン１３１〜１３４は、線状画素１３ａが同一の配列ピッチｑで配列している場合について説明したが、配列ピッチを適宜変更してもよい。
【００６０】
また、透明素材１１の裏面に複数の拡大虚像現出領域Ｒ１〜Ｒ２９が設けられている場合について説明したが、１つでもよい。
【００６１】
また、各線状画素パターン１３１〜１３４は、第１〜第４拡大虚像現出領域群Ｒ１〜Ｒ２９ごとに線状画素１３ａが異なる配列方向で配列している場合について説明したが、全て同一の方向でもよいし、全て異なる方向でもよい。
【００６２】
また、集光素パターン１２１はｘ方向とｙ方向が直交している場合について説明したが、直交してなくてもよい。要は、複数の凸レンズ状の集光素を各集光素の並びに方向性を持たせて２次元的に配列していればよい。
【００６３】
また、線状画素１３ａが黒色で背景層１４が白色である場合について説明したが、任意の色であってもよい。要は、拡大虚像Ｚが現出した際の暗い部分と消失した際の明るい部分とにおいて明暗のコントラストが生じる色であれば任意の色でよい。
【００６４】
また、装飾表示体１０はデジタルフォトフレーム１といったディスプレイ装置に採用される場合について説明したが、遊技機やゲーム機の外層パネル、包装箱、広告体、飾り品などの種々の商品に採用してもよい。
【００６５】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００６６】
１…デジタルフォトフレーム
１０…装飾表示体
１１…透明素材
１２…集光素層
１２１…集光素パターン
１２ａ…集光素
１３、２３…画素層
１３１…第１線状画素パターン
１３２…第２線状画素パターン
１３３…第３線状画素パターン
１３４…第４線状画素パターン
１３ａ…線状画素
１３５…点状画素パターン
１３ｂ…点状画素
１４…背景層
Ｒ１〜Ｒ２９…拡大虚像現出領域
【要約】
【課題】金属を使用することなく金属表面のような光沢感を表現することができる装飾表示体を提供する。
【解決手段】装飾表示体１０は、透明素材１１の表面に複数の集光素１２ａを各集光素１２ａの並びに方向性を持たせて２次元的に配列して集光素パターン１２１が形成されるとともに、透明素材１１の裏面に複数の線状画素１３ａを集光素パターン１２１とは異なる配列ピッチで平行に配列して線状画素パターン１３１が形成されている。該装飾表示体１０は、透明素材１１の裏面に拡大虚像現出領域Ｒ１〜Ｒ２９が設けられ、該拡大虚像現出領域Ｒ１〜２９に線状画素パターン１３１〜１３４が形成されるとともに、該線状画素パターン１３１〜１３４の線状画素１３ａは拡大虚像現出領域Ｒ１〜Ｒ２９と同程度以上の拡大虚像Ｚを透明素材１１の上方に現出させる線幅Ｗとなされている。
【選択図】図５【図１】
0004794697.tif 000002
【図２】
0004794697.tif 000003
【図３】
0004794697.tif 000004
【図４】
0004794697.tif 000005
【図５】
0004794697.tif 000006
【図６】
0004794697.tif 000007
【図７】
0004794697.tif 000008
【図８】
0004794697.tif 000009
【図９】
0004794697.tif 000010